(57)【特許請求の範囲】
【請求項１】
空調運転を行う空気調和機本体と、前記空気調和機本体を運転操作するリモコン装置とを備えた空気調和機であって、
前記空気調和機本体は、前記空気調和機本体を運転制御する制御手段と、前記リモコン装置からの送信信号を受信する本体受信手段とを備え、
前記リモコン装置は、前記リモコン装置周辺の温度を検知する温度検知手段と、前記温度検知手段で検知した検知温度を送信信号として電波により所定の時間間隔で送信するリモコン送信手段とを備え、
冷房運転時において、
前記制御手段は、前記リモコン装置から受信した検知温度と予め設定された設定温度とを比較し、前記検知温度が前記設定温度より低いとき、前記設定温度をプラス補正し、この補正した設定温度に基づいて前記空気調和機本体を運転することを特徴とする空気調和機。
【請求項２】
空調運転を行う空気調和機本体と、前記空気調和機本体を運転操作するリモコン装置とを備えた空気調和機であって、
前記空気調和機本体は、前記空気調和機本体を運転制御する制御手段と、前記リモコン装置からの送信信号を受信する本体受信手段とを備え、
前記リモコン装置は、前記リモコン装置周辺の温度を検知する温度検知手段と、前記温度検知手段で検知した検知温度を送信信号として電波により所定の時間間隔で送信するリモコン送信手段とを備え、
暖房運転時において、
前記制御手段は、前記リモコン装置から受信した検知温度と予め設定された設定温度とを比較し、前記検知温度が前記設定温度より高いとき、前記設定温度をマイナス補正し、この補正した設定温度に基づいて前記空気調和機本体を運転することを特徴とする空気調和機。
【請求項３】
空調運転を行う空気調和機本体と、前記空気調和機本体を運転操作するリモコン装置とを備えた空気調和機であって、
前記空気調和機本体は、前記空気調和機本体を運転制御する制御手段と、前記リモコン装置からの送信信号を受信する本体受信手段と、計時手段とを備え、
前記リモコン装置は、前記リモコン装置周辺の温度を検知する温度検知手段と、前記温度検知手段で検知した検知温度を送信信号として電波により所定の時間間隔で送信するリモコン送信手段とを備え、
前記制御手段は、前記リモコン装置から受信した検知温度と予め設定された設定温度とを比較し、前記検知温度が前記設定温度より低いとき前記検知温度と前記設定温度との温度差を縮小するように前記空気調和機本体を運転し、前記検知温度が前記設定温度以上のとき前記設定温度に基づいて前記空気調和機本体を運転するものであり、
前記検知温度と前記設定温度の温度差が第１の所定温度以上であり、且つ、その状態が第１の所定時間継続したことを前記計時手段で計時したとき、前記設定温度に基づいて前記空気調和機本体を運転することを特徴とする空気調和機。
【請求項４】
空調運転を行う空気調和機本体と、前記空気調和機本体を運転操作するリモコン装置とを備えた空気調和機であって、
前記空気調和機本体は、前記空気調和機本体を運転制御する制御手段と、前記リモコン装置からの送信信号を受信する本体受信手段と、計時手段とを備え、
前記リモコン装置は、前記リモコン装置周辺の温度を検知する温度検知手段と、前記温度検知手段で検知した検知温度を送信信号として電波により所定の時間間隔で送信するリモコン送信手段とを備え、
前記制御手段は、前記リモコン装置から受信した検知温度と予め設定された設定温度とを比較し、前記検知温度が前記設定温度より低いとき前記検知温度と前記設定温度との温度差を縮小するように前記空気調和機本体を運転し、前記検知温度が前記設定温度以上のとき前記設定温度に基づいて前記空気調和機本体を運転するものであり、
前記リモコン装置からの前記検知温度を受信し、前記検知温度が第２の所定時間で第２の所定温度以上変化したことを前記計時手段で計時したとき、前記設定温度に基づいて前記空気調和機本体を運転することを特徴とする空気調和機。
【発明の詳細な説明】
【技術分野】
【０００１】
本発明は、温度センサを有するリモコン装置を備えた空気調和機の運転制御に関するものである。
【背景技術】
【０００２】
従来、空気調和機に対して遠隔操作や設定温度等の各種設定を行うリモコン装置が知られている（例えば、特許文献１参照）。特許文献１に記載のリモコン装置は、空気調和機本体に操作信号を赤外線方式で送信するリモコン送信部と、より人に近い場所の温度を検知する温度センサとを備えており、温度センサで検知した室温を定期的に空気調和機本体に送信するようになっている。
【０００３】
この構成においては、リモコン装置の温度センサで測定した室温が予め空気調和機本体側に設定してある設定温度とほぼ同じ、例えば設定温度±０．５℃になった時、空気調和機本体の運転を停止して待機状態に移行させる一方で、温度センサで測定した室温と設定温度とが所定の温度差以上になった時、空気調和機本体を運転状態に移行して設定温度になるように運転制御を行うことで、常に運転状態にならないために空気調和機本体の消費電力を低減するようになっている。
【先行技術文献】
【特許文献】
【０００４】
【特許文献１】特開２０１０−１６４２３１号公報
【発明の概要】
【発明が解決しようとする課題】
【０００５】
ところで、電波を利用したＲＦリモコン装置の場合には、従来の赤外線通信方式に比べて通信エリアが広範囲になり、空気調和機本体（エアコン室内機）が設置された部屋以外の部屋などからも操作が可能となるため、リモコン装置はエアコン室内機が設置された部屋以外の部屋などに配置される場合も想定される。
【０００６】
このようにリモコン装置がエアコン室内機の設置部屋外に配置された場合、リモコン装置に備わる温度センサの検知温度はエアコン室内機が空調している部屋の室温を示すものではない。従って、上記の特許文献１のような空気調和機のリモコン装置をＲＦリモコン装置に置き換えた場合では、温度センサの検知温度と設定温度とに温度差があるときにエアコン室内機がその差を縮小しようとして運転出力を上げるなどの制御を行なってもリモコン装置の温度センサの検知温度は変わらないので、無駄な空調運転を招くおそれがある。省エネルギーの観点からは、こうした運転制御はエアコン室内機が空調対象としている部屋内にリモコン装置が実際に存在するときのみ実行することが好ましい。
【０００７】
本発明は、上記に鑑みてなされたものであって、ＲＦリモコン装置に備わる温度センサの検知温度を室温とみなしてこれに基づく運転制御を行う空気調和機において、エアコン室内機が空調対象としている部屋内にリモコン装置が存在しない場合冷房時の無駄な運転を防ぐことができる空気調和機を提供することを目的とする。
【課題を解決するための手段】
【０００８】
上記した課題を解決し、目的を達成するために、本発明に係る空気調和機は、空調運転を行う空気調和機本体と、前記空気調和機本体を運転操作するリモコン装置とを備えた空気調和機であって、前記空気調和機本体は、前記空気調和機本体を運転制御する制御手段と、前記リモコン装置からの送信信号を受信する本体受信手段とを備え、前記リモコン装置は、前記リモコン装置周辺の温度を検知する温度検知手段と、前記温度検知手段で検知した検知温度を送信信号として電波により所定の時間間隔で送信するリモコン送信手段とを備え、冷房運転時において、前記制御手段は、前記リモコン装置から受信した検知温度と予め設定された設定温度とを比較し、前記検知温度が前記設定温度より低いとき、前記設定温度をプラス補正し、この補正した設定温度に基づいて前記空気調和機本体を運転することを特徴とする。
【０００９】
また、本発明に係る空気調和機は、空調運転を行う空気調和機本体と、前記空気調和機本体を運転操作するリモコン装置とを備えた空気調和機であって、前記空気調和機本体は、前記空気調和機本体を運転制御する制御手段と、前記リモコン装置からの送信信号を受信する本体受信手段とを備え、前記リモコン装置は、前記リモコン装置周辺の温度を検知する温度検知手段と、前記温度検知手段で検知した検知温度を送信信号として電波により所定の時間間隔で送信するリモコン送信手段とを備え、暖房運転時において、前記制御手段は、前記リモコン装置から受信した検知温度と予め設定された設定温度とを比較し、前記検知温度が前記設定温度より高いとき、前記設定温度をマイナス補正し、この補正した設定温度に基づいて前記空気調和機本体を運転することを特徴とする。
【００１０】
また、本発明に係る空気調和機は、空調運転を行う空気調和機本体と、前記空気調和機本体を運転操作するリモコン装置とを備えた空気調和機であって、前記空気調和機本体は、前記空気調和機本体を運転制御する制御手段と、前記リモコン装置からの送信信号を受信する本体受信手段と、計時手段とを備え、前記リモコン装置は、前記リモコン装置周辺の温度を検知する温度検知手段と、前記温度検知手段で検知した検知温度を送信信号として電波により所定の時間間隔で送信するリモコン送信手段とを備え、前記制御手段は、前記リモコン装置から受信した検知温度と予め設定された設定温度とを比較し、前記検知温度が前記設定温度より低いとき前記検知温度と前記設定温度との温度差を縮小するように前記空気調和機本体を運転し、前記検知温度が前記設定温度以上のとき前記設定温度に基づいて前記空気調和機本体を運転するものであり、前記検知温度と前記設定温度の温度差が第１の所定温度以上であり、且つ、その状態が第１の所定時間継続したことを前記計時手段で計時したとき、前記設定温度に基づいて前記空気調和機本体を運転することを特徴とする。
【００１１】
また、本発明に係る空気調和機は、空調運転を行う空気調和機本体と、前記空気調和機本体を運転操作するリモコン装置とを備えた空気調和機であって、前記空気調和機本体は、前記空気調和機本体を運転制御する制御手段と、前記リモコン装置からの送信信号を受信する本体受信手段と、計時手段とを備え、前記リモコン装置は、前記リモコン装置周辺の温度を検知する温度検知手段と、前記温度検知手段で検知した検知温度を送信信号として電波により所定の時間間隔で送信するリモコン送信手段とを備え、前記制御手段は、前記リモコン装置から受信した検知温度と予め設定された設定温度とを比較し、前記検知温度が前記設定温度より低いとき前記検知温度と前記設定温度との温度差を縮小するように前記空気調和機本体を運転し、前記検知温度が前記設定温度以上のとき前記設定温度に基づいて前記空気調和機本体を運転するものであり、前記リモコン装置からの前記検知温度を受信し、前記検知温度が第２の所定時間で第２の所定温度以上変化したことを前記計時手段で計時したとき、前記設定温度に基づいて前記空気調和機本体を運転することを特徴とする。
【発明の効果】
【００１２】
本発明の空気調和機によれば、冷房運転時において、前記制御手段は、前記リモコン装置から受信した検知温度と予め設定された設定温度とを比較し、前記検知温度が前記設定温度より低いとき、前記設定温度をプラス補正し、この補正した設定温度に基づいて前記空気調和機本体を運転するので、冷房運転時において検知温度が設定温度よりも高いときに、この温度差を縮小するように空気調和機本体を運転制御（冷房能力を強める方向に制御）する場合、リモコン装置が空調対象室内にないときには、検知温度は空調対象室の室温を示すものではないので温度差は何時まで経っても縮小されず、その一方で空調対象室内は冷やし過ぎの状態となって無駄な運転となるのを防止するために、少なくとも検知温度が設定温度よりも低いときにだけ、設定温度と検知温度との間の温度差を縮小するように空気調和機本体による空調運転を制御（冷房能力を弱める方向に制御）する。
【００１３】
本発明の空気調和機によれば、暖房運転時において、前記制御手段は、前記リモコン装置から受信した検知温度と予め設定された設定温度とを比較し、前記検知温度が前記設定温度より高いとき、前記設定温度をマイナス補正し、この補正した設定温度に基づいて前記空気調和機本体を運転するので、暖房運転時において検知温度が設定温度よりも低いときに、この温度差を縮小するように空気調和機本体を運転制御（暖房能力を強める方向に制御）する場合、リモコン装置が空調対象室内にないときには、検知温度は空調対象室の室温を示すものではないので温度差は何時まで経っても縮小されず、その一方で空調対象室内は暖め過ぎの状態となって無駄な運転となるのを防止するために、少なくとも検知温度が設定温度よりも高いときにだけ、設定温度と検知温度との間の温度差を縮小するように空気調和機本体による空調運転を制御（暖房能力を弱める方向に制御）するようにして、仮にリモコン装置が空調対象室にないときであっても空調対象室は暖め過ぎの状態とならないので無駄な運転とはならず省エネルギーが図れる。
【００１４】
本発明の空気調和機によれば、検知温度と設定温度の温度差が第１の所定温度以上で、その状態が第１の所定時間継続した場合、空気調和機本体はリモコン装置が空調対象室内にないと判断して、設定温度に基づいて空調運転することで、リモコン装置が空調対象室内にないときであっても空調対象室内は冷やし過ぎの状態とならないので無駄な運転を防止できる。
【００１５】
本発明の空気調和機によれば、検知温度が第２の所定時間の間に第２の所定温度以上変化した場合、空気調和機本体はリモコン装置を空調対象室内から持ち出されたと判断して、設定温度に基づいて空調運転することで、リモコン装置が空調対象室内にないときであっても空調対象室内は冷やし過ぎの状態とならないので無駄な運転を防止できる。
【００１６】
したがって、本発明によれば、リモコン装置が空調対象室内にないと判断して、冷房時の冷やし過ぎによる無駄な運転を防ぐことができるという効果を奏する。
【図面の簡単な説明】
【００１７】
【図１】図１は、本発明に係る空気調和機の実施例を示すブロック図である。
【図２】図２は、本発明に係る空気調和機のリモコン装置の一例を示す図である。
【図３】図３は、本発明に係る空気調和機の冷房運転時のフローチャートである。
【図４】図４は、本発明に係る空気調和機の暖房運転時のフローチャートである。
【発明を実施するための形態】
【００１８】
以下に、本発明に係る空気調和機の実施の形態を図面に基づいて詳細に説明する。なお、この実施例によりこの発明が限定されるものではない。
【００１９】
図１に示すように、本発明に係る空気調和機１０は、空気調和機本体としての室内機１２および室外機１４と、リモコン装置１６とからなる。
【００２０】
室内機１２は、リモコン装置１６から運転操作する操作信号を受信する本体受信手段１８と、リモコン装置１６に対して室内機１２および室外機１４の運転情報を送信する本体送信手段２０と、室内機の周辺の温度を検知する室温センサ２２と、計時手段２５と、図示しないファンと、これらを制御する制御手段２４とを備える。
【００２１】
一方、リモコン装置１６は、ＲＦモジュールによる双方向無線通信方式の装置であり、図１および図２に示すように、エアコンの運転情報（運転時間、消費電力等）を表示する表示部３６、エアコンを運転操作する操作部３４、室内機１２に対して運転操作を行う操作信号および設定温度の信号を送信するリモコン送信手段２６と、室内機１２から送信される室内機１２および室外機１４の運転情報を受信するリモコン受信手段２８と、リモコン送信手段２６およびリモコン受信手段２８の周辺の温度を検知する温度センサ３０（温度検知手段）と、時間を計時するリモコン計時手段３８と、これらを制御するリモコン制御手段３２とを備える。この温度センサ３０の検知温度（以下、リモコンセンサ温度という。）がユーザーの居る場所の室温を示すと考えることができる。温度センサ３０によるリモコンセンサ温度は、リモコン計時手段３８により計時される所定の時間間隔（例えば、５分間隔）でリモコン送信手段２６を介して室内機１２の本体受信手段１８に送信されるようになっている。なお、リモコン装置１６の送受信部は通常は動作をオフにして使用する電池の消耗を防止している。従って、リモコン装置１６と室内機１２間の通信は、常にリモコン装置１６から操作対象となる室内機１２へ操作信号を送信してから通信が行われる。
【００２２】
室内機１２の制御手段２４は、予め設定された設定温度に基づいて空気調和機を運転する。具体的には、リモコン装置１６によって送信された設定温度に室内を空調すべく、室温センサ２２の検知温度が設定温度の付近となるように室温センサ２２を監視しながら空気調和機本体を制御する。なお、この制御は例えば図示しないファンの回転数や室外機１４のコンプレッサの回転数を調整すること等により行う。
【００２３】
また、この制御手段２４は、設定温度とリモコンセンサ温度との間に温度差があることを検知すると、温度差を縮小するように空気調和機本体を制御する。ここで、リモコン装置１６が室内機１２と同じ部屋にあれば設定温度付近になるが、例えば冷房運転時においてリモコン装置１６が空調が行われていない別の部屋にあるときは、通常は室外の気温のほうが高いことから、リモコンセンサ温度が設定温度より高いという状況が続きやすいと考えられる。
【００２４】
そこで、本発明においては、冷房運転時はリモコンセンサ温度が設定温度よりも低い場合、および、暖房運転時はリモコンセンサ温度が設定温度よりも高い場合に、リモコン装置１６が室内機１２と同じ部屋にある可能性が高いものと判断し、設定温度とリモコンセンサ温度との間の温度差を縮小するように、空気調和機本体による空調運転を制御する。
【００２５】
ここで、冷房運転時においてリモコンセンサ温度が設定温度よりも低いときに設定温度をより高い温度に補正し、暖房運転時においてリモコンセンサ温度が設定温度よりも高いときに設定温度をより低い温度に補正することが好ましい。より具体的には以下のようにする。
【００２６】
［冷房運転時］
まず冷房運転時には、図３に示すように、リモコン装置１６は、温度センサ３０で検知したリモコンセンサ温度を送信信号にして空気調和機本体１２に送信する（ステップＳ１）。リモコンセンサ温度の送信信号を受信した空気調和機本体１２の制御手段２４は、リモコンセンサ温度が設定温度に対して低い場合には（ステップＳ２）、予め空気調和機本体に対して設定してある空調運転の設定温度をプラス補正し（ステップＳ３）、この補正した設定温度にて空気調和機本体の運転を制御する（ステップＳ４）。なお、ステップＳ２においてリモコンセンサ温度が設定温度に対して高い場合には、リモコンセンサ温度により設定温度を補正することなく空気調和機本体の運転制御（ステップＳ４）に移行してＳ１に戻る。
【００２７】
具体例を挙げて説明すると、設定温度が２８℃でありリモコンセンサ温度が２６℃でリモコンセンサ温度が設定温度より２℃低い場合には、設定温度を＋１℃補正して２９℃とし、この新たな設定温度２９℃にて空気調和機本体を運転制御するようにすればよい。
【００２８】
一方で、冷房運転時においてリモコンセンサ温度が設定温度よりも高いときに、この温度差を縮小するように冷房能力を強める方向に制御する場合、図１に示すように、リモコン装置１６が空調対象室Ａになく、室Ｂにあるときには、リモコンセンサ温度は空調対象室Ａの室温を示すものではないので温度差は何時まで経っても縮小されないという不具合が起き、その一方で空調対象室Ａは冷やし過ぎの状態となって無駄な運転となる。
【００２９】
しかしながら、本発明のようにリモコンセンサ温度が設定温度よりも低いときにだけ、設定温度とリモコンセンサ温度との間の温度差を縮小するように冷房能力を弱める方向に制御する場合は、図１に示すように、仮にリモコン装置１６が空調対象室Ａになく、室Ｂにあるときであっても空調対象室Ａは冷やし過ぎの状態とならないので無駄な運転を防止して省エネルギーが図れる。
【００３０】
［暖房運転時］
他方、暖房運転時には、図４に示すように、リモコン装置１６は、温度センサ３０で検知したリモコンセンサ温度を送信信号にして空気調和機本体１２に送信する（ステップＳ５）。リモコンセンサ温度の送信信号を受信した空気調和機本体１２の制御手段２４は、リモコンセンサ温度が設定温度に対して高い場合には（ステップＳ６）、予め空気調和機本体に対して設定してある空調運転の設定温度をマイナス補正し（ステップＳ７）、この補正した設定温度にて空気調和機本体の運転を制御する（ステップＳ８）。なお、ステップＳ６においてリモコンセンサ温度が設定温度に対して低い場合には、リモコンセンサ温度により設定温度を補正することなく空気調和機本体の運転制御（ステップＳ８）に移行してＳ５に戻る。
【００３１】
具体例を挙げて説明すると、設定温度が２８℃でありリモコンセンサ温度が３０℃でリモコンセンサ温度が設定温度より２℃高い場合には、設定温度を−１℃補正して２７℃とし、この新たな設定温度２７℃にて空気調和機本体を運転制御するようにすればよい。
【００３２】
一方で、暖房運転時においてリモコンセンサ温度が設定温度よりも低いときに、この温度差を縮小するように暖房能力を強める方向に制御する場合、図１に示すように、リモコン装置１６が空調対象室Ａになく、室Ｂにあるときには、リモコンセンサ温度は空調対象室Ａの室温を示すものではないので温度差は何時まで経っても縮小されないという不具合が起き、その一方で空調対象室Ａは暖め過ぎの状態となって無駄な運転となる。
【００３３】
しかしながら、本発明のようにリモコンセンサ温度が設定温度よりも高いときにだけ、設定温度とリモコンセンサ温度との間の温度差を縮小するように暖房能力を弱める方向に制御する場合は、図１に示すように、仮にリモコン装置１６が空調対象室Ａになく、室Ｂにあるときであっても空調対象室Ａは暖め過ぎの状態とならないので無駄な運転とはならず省エネルギーが図れる。
【００３４】
したがって、本発明によれば、冷房時の冷やし過ぎ、暖房時の暖め過ぎを防ぐことができる。
【００３５】
［リモコンの同室内の有無の判断］
次に、リモコン装置が空調対象室内にあるかないかを判断する方法について説明する。
空気調和機本体１２の制御手段２４は、リモコン装置１６から送信されてくる温度センサ３０で検知した検知温度と設定温度との温度差が、第１の所定温度（例えば５℃）以上で、その状態が計時手段２５によって第１の所定時間（例えば１５分）まで継続した場合、即ち、空調運転しても検知温度が設定温度に近づかない場合、リモコン装置１６が空調対象室内にないと判断して、リモコンセンサ温度でなく設定温度に基づいて空調運転する。
【００３６】
また、空気調和機本体１２の制御手段２４は、リモコン装置１６から送信されてくる温度センサ３０で検知する検知温度が、計時手段２５によって第２の所定時間（例えば１０分）の間に第２の所定温度（例えば３℃）以上変化した場合、即ち、検知温度が短時間に急激に変化した時、リモコン装置が空調対象室内から持ち出されて空調対象室内にないと判断して、リモコンセンサ温度でなく設定温度に基づいて空調運転する。
【００３７】
なお、上記では空気調和機本体１２の計時手段２５による計時時間に基づいて判断しているが、リモコン装置１６から送信されてくる検知温度が、前回の温度と今回の温度とで大きく変化（例えば３℃以上）した場合で判断しても良い。
【００３８】
また、空気調和機本体１２は、リモコン装置１６から送信信号を受信したことを応答する応答信号を本体送信手段２０からリモコン装置１６へ送信し、リモコン装置１６は、リモコン受信手段２８で空気調和機本体１２からの応答信号を受信することで操作対象範囲にあると判断する。従って、リモコン装置１６は、温度センサ３０で検知する検知温度を空気調和機本体１２へ送信し、空気調和機本体１２からの応答信号を受信しなかった場合、操作対象範囲外、即ち、空調対象室外にあると判断して、その後の検知温度を送信しないようにする。空気調和機本体１２の制御手段２４は、一定時間にリモコン装置１６からの検知温度を受信しなかった場合、リモコンセンサ温度でなく設定温度に基づいて空調運転する。
【００３９】
なお、上記の実施の形態において、リモコン装置１６と空気調和機本体（室内機１２）と双方向の無線通信方式を用いて空気調和機本体の運転情報（例えば、運転停止後の電気代やフィルタ掃除などのメンテナンス運転などの情報）をリモコン装置１６の表示部３６に表示させることを可能としているが、本発明においては、リモコン装置１６は送信信号を送信するだけで、双方向通信の機能を使用しなくてもよい。
【００４０】
以上説明したように、本発明の空気調和機によれば、冷房運転時において、前記制御手段は、前記リモコン装置から受信した検知温度と予め設定された設定温度とを比較し、前記検知温度が前記設定温度より低いとき、前記設定温度をプラス補正し、この補正した設定温度に基づいて前記空気調和機本体を運転するので、冷房運転時において検知温度が設定温度よりも高いときに、この温度差を縮小するように空気調和機本体を運転制御（冷房能力を強める方向に制御）する場合、リモコン装置が空調対象室内にないときには、検知温度は空調対象室の室温を示すものではないので温度差は何時まで経っても縮小されず、その一方で空調対象室内は冷やし過ぎの状態となって無駄な運転となるのを防止するために、少なくとも検知温度が設定温度よりも低いときにだけ、設定温度と検知温度との間の温度差を縮小するように空気調和機本体による空調運転を制御（冷房能力を弱める方向に制御）する。
【００４１】
本発明の空気調和機によれば、暖房運転時において、前記制御手段は、前記リモコン装置から受信した検知温度と予め設定された設定温度とを比較し、前記検知温度が前記設定温度より高いとき、前記設定温度をマイナス補正し、この補正した設定温度に基づいて前記空気調和機本体を運転するので、暖房運転時において検知温度が設定温度よりも低いときに、この温度差を縮小するように空気調和機本体を運転制御（暖房能力を強める方向に制御）する場合、リモコン装置が空調対象室内にないときには、検知温度は空調対象室の室温を示すものではないので温度差は何時まで経っても縮小されず、その一方で空調対象室内は暖め過ぎの状態となって無駄な運転となるのを防止するために、少なくとも検知温度が設定温度よりも高いときにだけ、設定温度と検知温度との間の温度差を縮小するように空気調和機本体による空調運転を制御（暖房能力を弱める方向に制御）するようにして、仮にリモコン装置が空調対象室にないときであっても空調対象室は暖め過ぎの状態とならないので無駄な運転とはならず省エネルギーが図れる。
【００４２】
本発明の空気調和機によれば、検知温度と設定温度の温度差が第１の所定温度以上で、その状態が第１の所定時間まで継続した場合、空気調和機本体はリモコン装置が空調対象室内にないと判断して、設定温度に基づいて空調運転することで、リモコン装置が空調対象室内にないときであっても空調対象室内は冷やし過ぎの状態とならないので無駄な運転を防止できる。
【００４３】
本発明の空気調和機によれば、検知温度が第２の所定時間に第２の所定温度以上変化した場合、空気調和機本体はリモコン装置を空調対象室内から持ち出されたと判断して、設定温度に基づいて空調運転することで、リモコン装置が空調対象室内にないときであっても空調対象室内は冷やし過ぎの状態とならないので無駄な運転を防止できる。
【００４４】
したがって、本発明によれば、リモコン装置が空調対象室内にないと判断して、冷房時の冷やし過ぎによる無駄な運転を防ぐことができるという効果を奏する。
【産業上の利用可能性】
【００４５】
以上のように、本発明に係る空気調和機は、リモコン装置に備わる温度センサの検知温度を室温とみなしてこれに基づく運転制御を行う空気調和機に有用であり、特に、ＲＦモジュールによる双方向無線通信電波を利用するＲＦリモコン装置を用いた空気調和機に適している。
【符号の説明】
【００４６】
１０  空気調和機
１２  室内機（空気調和機本体）
１４  室外機（空気調和機本体）
１６  リモコン装置
１８  本体受信手段
２０  本体送信手段
２２  室温センサ
２４  制御手段
２５  計時手段
２６  リモコン送信手段
２８  リモコン受信手段
３０  温度センサ（温度検知手段）
３２  リモコン制御手段
３４  操作部（操作手段）
３６  表示部（表示手段）
３８  リモコン計時手段
【図１】
0005333565.tif 000002
【図２】
0005333565.tif 000003
【図３】
0005333565.tif 000004
【図４】
0005333565.tif 000005